(57)【要約】      （修正有）【課題】市販の監視カメラが、ライティングダクトから電源供給されることを可能にする監視カメラ用電源供給アダプターを提供する。【解決手段】この監視カメラ用電源供給アダプター１は、一対の給電レールを有したライティングダクト９に取り付けられるものであって、一方側の端部に電源供給端子、他方側の端部にＡＣ電源コンセントを有し、ライティングダクト９に取り付けられることにより電源供給端子が給電レールに電気的に接触するライティングダクト取付体２と、ＡＣ電源コンセントに電気的に接続される監視カメラ８のＡＣアダプター８Ａを収容し、一方の端部側の天板部がライティングダクト取付体２に固定されるＡＣアダプター収容体３と、一方側の端部においてＡＣアダプター収容体３の他方側の端部に固定され、他方側の端部において監視カメラ８を取り付ける監視カメラ取付体４と、を備えて成る。【選択図】図２
0003165673.tif 000002
【実用新案登録請求の範囲】
【請求項１】
一対の給電レールと取付凹所を有したライティングダクトに着脱可能に取り付けられる監視カメラ用電源供給アダプターであって、
一方側の端部に電源供給端子及び取付部、他方側の端部に前記電源供給端子に電気的に接続されたＡＣ電源コンセントを有し、前記取付部を前記ライティングダクトの取付凹所に取り付けることにより前記電源供給端子が前記ライティングダクトの給電レールに電気的に接触するライティングダクト取付体と、
有底筒状の箱体であり、前記ＡＣ電源コンセントに電気的に接続される監視カメラのＡＣアダプターを収容し、一方側の端部の天板部が前記ライティングダクト取付体に固定されるＡＣアダプター収容体と、
一方側の端部において前記ＡＣアダプター収容体の他方側の端部に固定され、他方側の端部において監視カメラを取り付ける監視カメラ取付体と、
を備えてなることを特徴とする監視カメラ用電源供給アダプター。
【請求項２】
請求項１に記載の監視カメラ用電源供給アダプターにおいて、
前記ライティングダクト取付体は、外周面に形成された段差部とその他方側に形成された雄ねじとが設けられており、
前記ＡＣアダプター収容体は、前記天板部に、前記ライティングダクト取付体を挿通させる取付体挿通孔を有しており、
前記雄ねじに固定具を螺合することにより、前記ＡＣアダプター収容体の天板部が前記段差部と前記固定具により挟持されることを特徴とする監視カメラ用電源供給アダプター。
【請求項３】
請求項２に記載の監視カメラ用電源供給アダプターにおいて、
前記取付体挿通孔は、前記雄ねじの谷の径よりも大きく雄ねじの外径よりも小さいことを特徴とする監視カメラ用電源供給アダプター。
【請求項４】
請求項３に記載の監視カメラ用電源供給アダプターにおいて、
前記雄ねじは断続的に形成され、
前記取付体挿通孔は、一部が半径方向に拡大されて、前記雄ねじの断片が縦方向に挿通可能な大きさの雄ねじ挿通部分が設けられていることを特徴とする監視カメラ用電源供給アダプター。
【請求項５】
請求項１乃至４のいずれか１項に記載の監視カメラ用電源供給アダプターにおいて、
前記ＡＣアダプター収容体は、側面に放熱孔を有していることを特徴とする監視カメラ用電源供給アダプター。
【請求項６】
請求項１乃至５のいずれか１項に記載の監視カメラ用電源供給アダプターにおいて、
前記ＡＣアダプター収容体は、前記ＡＣアダプターのコードが通過するコード通過孔を有していることを特徴とする監視カメラ用電源供給アダプター。
【請求項７】
請求項１乃至６のいずれか１項に記載の監視カメラ用電源供給アダプターにおいて、
前記監視カメラ取付体は、ジョイント部を有し、それを介して監視カメラを取り付けることを特徴とする監視カメラ用電源供給アダプター。
【考案の詳細な説明】
【技術分野】
【０００１】
本考案は、ライティングダクトから監視カメラへ電源を供給する監視カメラ用電源供給アダプターに関する。
【背景技術】
【０００２】
今日、ほとんどの店舗において監視カメラが使用されている。そのような監視カメラは、通常、天井などに取り付けられ、天井裏などの人目に付かないところに電源ケーブルなどのケーブル類が敷設される。そのために、監視カメラやケーブル類の設置工事にはかなりの期間と費用が必要となり、時間的、あるいは経済的な負担は少なくない。
【０００３】
特許文献１には、監視カメラをライティングダクトに取り付けて、そこから監視カメラに電源を供給するものが記載されている。ライティングダクトは、長尺状のダクト内に給電レールを配設したものであって店舗の天井などに配設され、展示する商品に合わせた位置で簡単に照明装置を取り付けることができるようにする本来の用途のものである。特許文献１に記載の監視カメラは、すでに設けられているライティングダクトを利用することにより、設置工事の負担が非常に小さくなるものである。
【先行技術文献】
【特許文献】
【０００４】
【特許文献１】特開２００６−０４９９９０号公報
【考案の概要】
【考案が解決しようとする課題】
【０００５】
しかしながら、特許文献１に記載の監視カメラは、監視カメラ自体をライティングダクトに直接取り付けられるように専用に設計された構造のものである。これに対し、多くの市販の監視カメラは、他の器具への取り付けのために標準化された構造（インターフェイス構造）を有しているものであり、ライティングダクトへの直接的な取り付けが困難なものであった。
【０００６】
本考案は、係る事由に鑑みてなされたものであり、その目的は、他の器具への取り付けのために標準化された構造を有している市販の監視カメラが、ライティングダクトから電源供給されるように、ライティングダクトへの取り付けを可能にする監視カメラ用電源供給アダプターを提供することにある。
【課題を解決するための手段】
【０００７】
上記目的を達成するために、請求項１に記載の監視カメラ用電源供給アダプターは、一対の給電レールと取付凹所を有したライティングダクトに着脱可能に取り付けられる監視カメラ用電源供給アダプターであって、一方側の端部に電源供給端子及び取付部、他方側の端部に前記電源供給端子に電気的に接続されたＡＣ電源コンセントを有し、前記取付部を前記ライティングダクトの取付凹所に取り付けることにより前記電源供給端子が前記ライティングダクトの給電レールに電気的に接触するライティングダクト取付体と、有底筒状の箱体であり、前記ＡＣ電源コンセントに電気的に接続される監視カメラのＡＣアダプターを収容し、一方側の端部の天板部が前記ライティングダクト取付体に固定されるＡＣアダプター収容体と、一方側の端部において前記ＡＣアダプター収容体の他方側の端部に固定され、他方側の端部において監視カメラを取り付ける監視カメラ取付体と、を備えてなることを特徴とする。
【０００８】
請求項２に記載の監視カメラ用電源供給アダプターは、請求項１に記載の監視カメラ用電源供給アダプターにおいて、前記ライティングダクト取付体は、外周面に形成された段差部とその他方側に形成された雄ねじとが設けられており、前記ＡＣアダプター収容体は、前記天板部に、前記ライティングダクト取付体を挿通させる取付体挿通孔を有しており、前記雄ねじに固定具を螺合することにより、前記ＡＣアダプター収容体の天板部が前記段差部と前記固定具により挟持されることを特徴とする。
【０００９】
請求項３に記載の監視カメラ用電源供給アダプターは、請求項２に記載の監視カメラ用電源供給アダプターにおいて、前記取付体挿通孔は、前記雄ねじの谷の径よりも大きく雄ねじの外径よりも小さいことを特徴とする。
【００１０】
請求項４に記載の監視カメラ用電源供給アダプターは、請求項３に記載の監視カメラ用電源供給アダプターにおいて、前記雄ねじは断続的に形成され、前記取付体挿通孔は、一部が半径方向に拡大されて、前記雄ねじの断片が縦方向に挿通可能な大きさの雄ねじ挿通部分が設けられていることを特徴とする。
【００１１】
請求項５に記載の監視カメラ用電源供給アダプターは、請求項１乃至４のいずれか１項に記載の監視カメラ用電源供給アダプターにおいて、前記ＡＣアダプター収容体は、側面に放熱孔を有していることを特徴とする。
【００１２】
請求項６に記載の監視カメラ用電源供給アダプターは、請求項１乃至５のいずれか１項に記載の監視カメラ用電源供給アダプターにおいて、前記ＡＣアダプター収容体は、前記ＡＣアダプターのコードが通過するコード通過孔を有していることを特徴とする。
【００１３】
請求項７に記載の監視カメラ用電源供給アダプターは、請求項１乃至６のいずれか１項に記載の監視カメラ用電源供給アダプターにおいて、前記監視カメラ取付体は、ジョイント部を有し、それを介して監視カメラを取り付けることを特徴とする。
【考案の効果】
【００１４】
本考案に係る監視カメラ用電源供給アダプターによれば、ライティングダクト取付体によってライティングダクトに取り付けられて電源を取り出し、ＡＣアダプター収容体にＡＣアダプターなどを収容し、他の器具への取り付けのために標準化された構造を有している市販の監視カメラを監視カメラ取付体に取り付けることができるので、その監視カメラがライティングダクトから電源供給されるように、ライティングダクトへの取り付けを可能にする。
【図面の簡単な説明】
【００１５】
【図１】本考案の実施形態に係る監視カメラ用電源供給アダプター１を示すものであって、（ａ）は左側面図、（ｂ）は正面図、（ｃ）は平面図、（ｄ）は底面図である。
【図２】同上の監視カメラ用電源供給アダプター１を用いた監視カメラシステムの正面図である。
【図３】同上の監視カメラシステムのライティングダクト９を示す断面図である。
【図４】同上の監視カメラ用電源供給アダプター１のライティングダクト取付体２を示すものであって、（ａ）は左側面図、（ｂ）は正面図、（ｃ）は平面図、（ｄ）は底面図、（ｅ）は雄ねじ２６を省いた底面図である。
【図５】同上のライティングダクト９とライティングダクト取付体２の取り付け状態の模式的な説明図である。
【図６】同上の監視カメラ用電源供給アダプター１のＡＣアダプター収容体３を示すものであって、（ａ）は左側面図、（ｂ）は正面図、（ｃ）は平面図、（ｄ）は底面図である。
【図７】同上の監視カメラ用電源供給アダプター１のライティングダクト取付体２とＡＣアダプター収容体３の天板部３ａを固定した状態を示すものであって、（ａ）は正面図、（ｂ）は（ａ）の中央右側の一部の拡大断面図である。
【図８】同上の監視カメラ用電源供給アダプター１のライティングダクト取付体２の雄ねじ２６及びＡＣアダプター収容体３の天板部３ａの取付体挿通孔３１の変形例を示すものであって、（ａ）はライティングダクト取付体２の左側面図、（ｂ）はライティングダクト取付体２の正面図、（ｃ）はライティングダクト取付体２の底面図、（ｄ）は天板部３ａの底面図である。
【図９】同上の監視カメラ用電源供給アダプター１の監視カメラ取付体４を示すものであって、（ａ）は左側面図、（ｂ）は正面図、（ｃ）は左側面視断面図、（ｄ）は正面視断面図、（ｅ）は底面図である。
【図１０】同上の監視カメラシステムの監視カメラ８の裏面を示す斜視図である。
【考案を実施するための形態】
【００１６】
以下、本考案を実施するための好ましい形態を図面を参照しながら説明する。本考案の実施形態に係る監視カメラ用電源供給アダプター１は、図１に示すように、ライティングダクト取付体２とＡＣアダプター収容体３と監視カメラ取付体４とを主な構成要素として備えており、それらが順に連結されている。この監視カメラ用電源供給アダプター１は、図２に示すように、一方側のライティングダクト９から他方側の監視カメラ８へ電源供給されるようにし、監視カメラ８のライティングダクト９への取り付けを可能にするためのものである。本明細書では、一方側とは、監視カメラ用電源供給アダプター１をライティングダクト９に取り付けた状態におけるライティングダクト９側、すなわち図１及び図２において上方側を意味し、他方側は、同様の状態におけるライティングダクト９から離れた側、すなわち図１及び図２において下方側を意味するものとする。また、縦方向、横方向はそれぞれ、監視カメラ用電源供給アダプター１をライティングダクト９に取り付けた状態では上下方向、水平方向となる方向を意味するものとする。なお、図１及び図２においては、ＡＣアダプター収容体３の内部に存在する取付体２の一部及び後述の固定具３Ｂを破線で示している。また、図２においては、ＡＣアダプター収容体３の内部に取り付けられて収容される、監視カメラ８のＡＣアダプター８Ａ、その差込プラグ８Ａａ、そのコード８Ａｂの一部、を破線で示している。
【００１７】
ライティングダクト９は、長尺状のダクト内に給電レールを配設したもので、構造の主要部はＪＩＳ規格で規格化されている。ライティングダクト９は、図２に示すように、店舗の天井Ｃなどに配設されている。ライティングダクト９は、図３の断面図に示すように、ダクト９０の内部に中空部９１を有し、ダクト９０の一辺に中空部９１が外部空間に通じる開口部９２を有する。また、中空部９１の上下方向における中央付近の内壁面には、例えばＡＣ１００Ｖを給電する一対の給電レール９３、９３が内方に露出した状態で配設されている。給電レール９３、９３の下方には中空部９１の一部として取付凹所９１ａ、９１ａが形成されている。これらの中空部９１（取付凹所９１ａを含む）、開口部９２、一対の給電レール９３、９３は、天井Ｃに沿って長く（図３において紙面と垂直方向に長く）延びている。
【００１８】
ライティングダクト取付体２は、図４に示すように、柱状のものであって、一方側の端部の部位がライティングダクト取付体２をライティングダクト９に取り付けるための構造となっている。
【００１９】
ライティングダクト取付体２は、一方側の端部の部位として、取付部２１、２１と電源供給端子２２、２２を有する。取付部２１、２１は、横方向に突出形成されている。この取付部２１、２１は、ライティングダクト９の開口部９２から中空部９１に挿入して約９０度回転させることで、取付部２１、２１が取付凹所９１ａ、９１ａに差し込まれることにより固く嵌合し、それによりライティングダクト取付体２がライティングダクト９に取り付けられる（図５参照）。また、ライティングダクト取付体２は、最端部（取付部２１よりも一方側の位置）に、一対の電源供給端子２２、２２が配設されており、取付部２１、２１が取付凹所９１ａ、９１ａに嵌合したときに、電源供給端子２２、２２は給電レール９３、９３に電気的に接触する。また、ライティングダクト取付体２の周辺部の一部には縦方向に突出し縦方向にバネ付勢でもって可動な（押し込み可能な）ロック用凸部２３が設けられている。このロック用凸部２３は、取付部２１、２１がライティングダクト９の取付凹所９１ａ、９１ａに嵌合し電源供給端子２２、２２が給電レール９３、９３に接触したときに開口部９２に嵌り込み、ライティングダクト取付体２が回動するのを阻止し、安定した取り付け状態を維持する。
【００２０】
また、ライティングダクト取付体２は、他方側の端部にＡＣ電源コンセント２４を有している。このＡＣ電源コンセント２４は、監視カメラ８のＡＣアダプター８Ａの差込プラグ８Ａａを差し込むためのものであり、ＡＣ電源コンセント２４の一対の差し込み口２４ａ、２４ｂの中の導体は、ライティングダクト取付体２の内部を通り、電源供給端子２２、２２に電気的に接続されている。よって、ＡＣ電源コンセント２４は、ライティングダクト取付体２がライティングダクト９に取り付けられたとき、例えばＡＣ１００Ｖが給電される。
【００２１】
さらに、ライティングダクト取付体２は、縦方向の中間部の外周面に、ＡＣアダプター収容体３を固定するための部位を有している。この部位として、詳細には、外周面に形成された段差部２５とその他方側に形成された雄ねじ２６とが設けられている。なお、図４（ｅ）は、段差部２５を特に理解容易なように表示するために、雄ねじ２６を省いた図である。
【００２２】
ＡＣアダプター収容体３は、図６に示すように、有底筒状（本実施形態では大略８角筒状）の箱体であり、ＡＣ電源コンセント２４に電気的に接続される監視カメラ８のＡＣアダプター８Ａを収容するものである。ＡＣアダプター収容体３は、具体的には、縦方向の一方側の端部の天板部３ａ、他方側の端部の底板部３ｂ、その間の筒状の側部３ｃから構成された箱体である。本実施形態では、天板部３ａ及び底板部３ｂは、ビス等の締結部材３２Ａ、３３Ａを用いて側部３ｃに固定される（図１参照）ことにより、ＡＣアダプター収容体３を構成している。図６中の孔３２、３３はそれぞれ、締結部材３２Ａ、３３Ａが通過するものである。ＡＣアダプター収容体３をライティングダクト取付体２に取り付けるときや、ＡＣアダプター８ＡをＡＣアダプター収容体３に収容し、差込プラグ８ＡａをＡＣ電源コンセント２４に差し込むときなどには、適宜、天板部３ａを側部３ｃから取り外して行えばよい。
【００２３】
ＡＣアダプター収容体３の天板部３ａは、中央に、ライティングダクト取付体２に取り付けられるための取付体挿通孔３１を有している。この取付体挿通孔３１は、ライティングダクト取付体２をその他方側から挿入し、段差部２５に環状の緩衝材（Ｏリング）３Ａを介挿して当接させる。そして、ライティングダクト取付体２の雄ねじ２６に、図７（ａ）に示すように、雌ねじが形成された固定具３Ｂを螺合し締め付ける。そうすることにより、ＡＣアダプター収容体３の天板部３ａが段差部２５と固定具３Ｂにより挟持されるのである。
【００２４】
この取付体挿通孔３１は、好ましくは、その内径をライティングダクト取付体２の雄ねじ２６の谷の径よりも僅かに大きく、雄ねじ２６の外径よりも小さくする。そして、取付体挿通孔３１にライティングダクト取付体２の他方側を挿入するとき、取付体挿通孔３１の周縁部が雄ねじ２６の谷に沿って動いて徐々に縦方向に移動するようにして取り付ける。取り付け完了時には、図７（ｂ）に示すような状態となる。取付体挿通孔３１の内径をこのようにすると、監視カメラ８を設置した後、過度の振動などにより万一、固定具３Ｂが雄ねじ２６から外れた場合でも、取付体挿通孔３１の周縁部が雄ねじ２６に縦方向の移動を阻害され、ＡＣアダプター収容体３がライティングダクト取付体２から分離することの抑止が可能である。この取付体挿通孔３１の大きさに加えて、図８（ａ）〜（ｃ）に示すように、雄ねじ２６を断続的に（多数の雄ねじの断片から成るように）形成し、図８（ｄ）に示すように、取付体挿通孔３１にその一部を半径方向に拡大した雄ねじ挿通部分３１ａを設けることもできる。雄ねじ挿通部分３１ａは、雄ねじ２６の断片が縦方向に挿通可能な大きさである。このようにすると、取付体挿通孔３１の内径とライティングダクト取付体２の雄ねじ２６の谷の径との差が非常に小さい場合でも、取付体挿通孔３１にライティングダクト取付体２の他方側を挿入するとき、取付体挿通孔３１の周縁部が縦方向に移動し易くなる。
【００２５】
また、ＡＣアダプター収容体３は、側面に放熱孔３４、３４、…を有している。これにより、監視カメラ８のＡＣアダプター８Ａが内部に有るとき、それから発生する熱を外部に適切に放出できる。
【００２６】
さらに、ＡＣアダプター収容体３は、底板部３ｂに、ＡＣアダプター８Ａから監視カメラ８のＤＣ電源入力端子にコード８Ａｂを通過させるためのコード通過孔３５を有している。なお、図６（ｄ）において底板部３ｂに設けられているコード通過孔３５以外の３個の孔３６は、監視カメラ取付体４を固定するためにビス等の締結部材４Ａ（図１参照）が通過するものである。
【００２７】
監視カメラ取付体４は、撮影方向の調整が可能なように監視カメラ８を取り付けるものである。具体的には、監視カメラ取付体４は、図９に示すように、縦方向の一方側の端部に、台座部４１を有し、この台座部４１がビス等の締結部材４Ａ（図１参照）を用いてＡＣアダプター収容体３の底板部３ｂに固定される。図９（ｅ）において台座部４１に設けられている３個の孔４１ａは、ビス等の締結部材４Ａが通過するものである。また、監視カメラ取付体４は、台座部４１に垂直に設けられ大略円筒状の軸部４２と、軸部４２と同軸に配置され軸部４２の頂部を覆う有底円筒状の軸蓋部４３と、軸部４２に対する軸蓋部４３の位置を固定することができる位置固定ねじ部材４４と、ボール部分４５ａと棒状部分４５ｂから成り、棒状部分４５ｂの先端部に雄ねじ４５ｂａが形成され、棒状部分４５ｂの中間部に固定ナット４５ｃが設けられたジョイント部４５と、を有している。また、軸蓋部４３の底部４３ａの一部から側部４３ｂの一部にわたって切欠き４３ｃが形成されている。ジョイント部４５は、そのボール部分４５ａが軸部４２の頂部と軸蓋部４３の底部４３ａの間にあり、ボール部分４５ａにつながっている棒状部分４５ｂが切欠き４３に挿通されている。位置固定ねじ部材４４が緩んでいる状態では、軸蓋部４３は、軸部４２に対して回動可能であるとともに縦方向にも若干移動可能となっており、ジョイント部４５の棒状部分４５ｂは、広い範囲を自由に動くことが可能である。
【００２８】
このように、監視カメラ取付体４は、ジョイント部４５を介して監視カメラ８を取り付けるものであり、また、監視カメラ８の撮影方向が適切になるように、ジョイント部４５の棒状部分４５ｂが動かされ、位置固定ねじ部材４４が締め込まれて、軸部４２に対しての軸蓋部４３とボール部分４５ａの位置が固定され、棒状部分４５ｂの方向が固定される。
【００２９】
監視カメラ８は、他の器具への取り付けのために標準化された構造を有している。すなわち、図１０に示すように、監視カメラ８は、他の器具の雄ねじが螺着されることにより他の器具と固く結合するように、裏面に所定の大きさの雌ねじが形成された取付口８１を有している。監視カメラ８は、この取付口８１に、監視カメラ取付体４のジョイント部４５の雄ねじ４５ｂａが螺着され、固定ナット４５ｃで固定されることによって、監視カメラ８と監視カメラ取付体４は固く結合する。
【００３０】
また、監視カメラ８は、ＤＣ電源入力口８２を有しており、監視カメラ８のＡＣアダプター８Ａのコード８Ａｂの端子が差し込まれる。
【００３１】
また、監視カメラ８は、着脱可能な記憶部（例えば、ＳＤＨＣメモリカードなど）を有し、それに店舗が開いているときに写した映像等を記録する。この記憶部は、メモリ容量が大きければ何日分も記憶できることになるが、少なくとも１日分（稼働１２時間）を記憶できれば、開店前に交換すればよいことになる。監視カメラ８は、店舗内のスイッチをオンすることによってライティングダクト９の一対の給電レール９３、９３に電源供給されてから自動的に稼働を開始し、スイッチをオフすることによってライティングダクト９の一対の給電レール９３、９３に電源供給されなくなったときに自動的に稼働を終了すればよい。また、監視カメラ８を無線通信の機能を有したものとし、特定の部屋で監視カメラ８の画像をモニタリングしたり、監視カメラ８を遠隔操作したりしてもよい。これらの監視カメラ８は、例えばネットワークカメラと称されるものの中で所定の機能を有するものを用いることが可能である。
【００３２】
なお、監視カメラ８は、市販のものであってその構造は周知であるので、これ以外の各部の詳細な説明は省略する。また、監視カメラ８の他の器具への取り付けのための構造が、もし、上記の構造と異なる別の構造であれば、それに合わせて監視カメラ取付体４を適宜変更することができる。
【００３３】
このように、監視カメラ用電源供給アダプター１は、他の器具への取り付けのために標準化された構造を有している市販の監視カメラがライティングダクト９から電源供給されるように、ライティングダクト９への取り付けを可能にし、また、他の器具への取り付けのための構造がどのような監視カメラであっても、監視カメラ取付体４を変更することで対応可能である。
【００３４】
以上、本考案の実施形態に係る監視カメラ用電源供給アダプターについて説明したが、本考案は、上述の実施形態に記載したものに限られることなく、実用新案登録請求の範囲に記載した事項の範囲内でのさまざまな設計変更が可能である。例えば、ライティングダクト取付体２とＡＣアダプター収容体３と監視カメラ取付体４の具体的な形状は適宜変更可能である。また、監視カメラ８について、ＡＣアダプター収容体３に収容されるＡＣアダプター８Ａとその差込プラグ８Ａａは、分離されてその間を電源コードでつなぐ形態のものなども可能なのは言うまでもないことである。
【符号の説明】
【００３５】
１      監視カメラ用電源供給アダプター
２      ライティングダクト取付体
２１    ライティングダクト取付体の取付部
２２    ライティングダクト取付体の電源供給端子
２４    ライティングダクト取付体のＡＣ電源コンセント
２６    ライティングダクト取付体の雄ねじ
２５    ライティングダクト取付体の段差部
３      ＡＣアダプター収容体
３ａ    ＡＣアダプター収容体の天板部
３１    取付体挿通孔
３４    放熱孔
３５    コード通過孔
３Ｂ    固定具
４      監視カメラ取付体
４５    ジョイント部
８      監視カメラ
８Ａ    監視カメラのＡＣアダプター
８Ａａ  監視カメラのＡＣアダプターの差込プラグ
８Ａｂ  監視カメラのＡＣアダプターのコード
９      ライティングダクト
９１ａ  取付凹所
９３    給電レール
【図１】
0003165673.tif 000003
【図２】
0003165673.tif 000004
【図３】
0003165673.tif 000005
【図４】
0003165673.tif 000006
【図５】
0003165673.tif 000007
【図６】
0003165673.tif 000008
【図７】
0003165673.tif 000009
【図８】
0003165673.tif 000010
【図９】
0003165673.tif 000011
【図１０】
0003165673.tif 000012